(57)【要約】【課題】作業者が塗装ガンを持ち、ゴーグルやマスクを装着して塗装ブース内で塗装作業をしなければならない静電塗装作業において、帯電した塗料粉が作業者の顔面部に付着するのを防止するための保護具を提供する。【解決手段】前記課題を解決するために、静電塗装用保護具を、金属網の庇を有する帽子状とし、頭に被る構造とすることで解決した。この金属網は、顔の前で浮遊する帯電した塗料粉末を吸着捕捉する働きをする。帯電した塗料粉末にとって、顔はほぼ平面的なアース電位面であるが、金属網はそのワイヤー近傍に急激な電位勾配を生じるので、塗料粉末に与えるクーロン力が大きくなり、金属網を通過する塗料粉は、ほぼ金属網に引かれて吸着捕捉される。また金属網の前方に浮遊する塗料粉末も、金属網の庇先端の電位勾配に引かれて、金属網に付着され易くなり、結果的に顔面に付着する塗料粉末は減少する。【選択図】図１
0003143564.tif 000002
【実用新案登録請求の範囲】
【請求項１】
頭頂部バンド、頭頂周部バンド及び導電性金属網で構成され、帯電した塗料粉体が、作業者の顔面部に付着する前に吸着捕捉するための導電性金属網を、顔面上部に位置する構造とした帽子状の静電塗装用保護具。
【考案の詳細な説明】
【技術分野】
【０００１】
本考案は、静電塗装作業において、塗料粉体が作業者の顔面部に付着するのを防止する保護具に関する。
【背景技術】
【０００２】
規模の大きい静電塗装設備においては、ロボットやその他の機構が塗装ガンを操作するので、塗装中に作業者が塗装ブース内に入ることはない。中小規模の静電塗装設備では、作業者が塗装ガンを持ち、ゴーグルやマスクを装着して塗装ブース内で塗装作業をしなければならないことが多い。このとき、帯電した塗料粉体は静電気のクーロン力によりアース電位の被塗装体表面をくまなく覆うように付着し、効率の良い塗装が行えるが、作業上の理由により入り組んだ被塗装物などに顔を近づけて塗装する場合、塗料粉末がゴーグルのガラス面に付着し、たちまち視界を遮られ、作業を停止しなければならない状態となる。ゴーグルを装着しないで作業をすると、塗料粉体が顔面部、特に目やまつげにも付着し、作業者に不快感を与えるとともに作業の円滑処理の妨げになる。
【０００３】
しかし、大規模静電塗装設備の内壁への塗料粉体の付着防止技術（例えば、特許文献１参照。）は存在するが、塗装ブース内での静電塗装作業のための保護具に関する特許等の出願は見当たらない。また、市販されている保護具もないのが実情である。
【０００４】
【特許文献１】特開平１１−２０７８４９号公報
【考案の開示】
【考案が解決しようとする課題】
【０００５】
作業者が塗装ガンを持ち、ゴーグルやマスクを装着して塗装ブース内で塗装作業をしなければならない静電塗装作業において、帯電した塗料粉体が作業者の顔面部に付着するのを防止するための保護具を提供する。
【課題を解決するための手段】
【０００６】
前記課題を解決するために、静電塗装用保護具を、金属網の庇を有する帽子状とし、頭に被る構造とすることで解決した。この金属網は、顔の前で浮遊する帯電した塗料粉体を吸着捕捉する働きをする。帯電した塗料粉体にとって、顔はほぼ平面的なアース電位面であるが、金属網はそのワイヤー近傍に急激な電位勾配を生じるので、塗料粉体に与えるクーロン力が大きくなり、金属網を通過する塗料粉体は、ほぼ金属網に引かれて吸着捕捉される。また金属網の前方に浮遊する塗料粉体も、金属網の庇先端の電位勾配に引かれて、金属網に付着され易くなり、結果的に顔面部に付着する塗料粉体は減少する。
【考案の効果】
【０００７】
本考案による静電塗装用保護具を装着して静電塗装用ブース内で作業した場合、装着しなかった場合と比較して、作業者の顔面部に付着する塗料粉体がおよそ５分の１程度に減少し、目に痛みを覚える等の作業者の不快感が解消する効果が認められた。
【考案を実施するための最良の形態】
【０００８】
本考案を実施するための最良の形態を、図面に基づいて説明する。
【０００９】
図１は、本考案の一例を示したものである。アルミ製の頭周部バンド２とアルミ製の頭頂部バンド３により、頭に被る形状をつくり、その内側に保護用スポンジゴム５を貼り付ける。頭周部バンド２には金属網取り付け用Ｌ金具４が３個付設し、これにステンレス製の塗料粉体吸着捕捉用金属網１がボルトとナット６により取り外し可能な状態で固定される構造である。塗料粉体吸着捕捉用金属網１は、線径０．６〜１．５ｍｍ、ピッチ６〜１５ｍｍとするのがよい。塗料粉体吸着捕捉用金属網１の線径やピッチは、前記の範囲内で変化させても塗料粉体吸着捕捉効果には影響しないことを確認している。また材質もステンレスに限った訳ではなく、導電性を有する金属であればよい。塗料粉体吸着捕捉用金属網１は、洗浄により繰り返し使用することを考慮してステンレス材を用い、線径１ｍｍ、ピッチ１０ｍｍ程度とするのが有効である。
【００１０】
塗料粉体の付着面積を大きくする目的で、塗料粉体吸着捕捉用金属網１のピッチを小さくし過ぎることや塗料粉体吸着捕捉用金属網１を金属板にすることは、電界強度の集中が少なくなり、また空気の流れを乱してしまうことにより、塗料粉体を吸着捕捉する効果が得られなくなる。
【００１１】
塗料粉体吸着捕捉用金属網１の先端を下方に大きく折り曲げて、顔面を覆うようなものも試作したが、塗料粉体の顔面への付着防止効果は増大するものの、ピッチ１０ｍｍ程度の金属網であっても、塗装面の微妙な塗装仕上がり具合を見るには視界を妨げることになり、有効な方法ではなかった。
【００１２】
塗料粉体吸着捕捉用金属網１に多くの塗料粉体が付着すると、付着した塗料膜が絶縁体となって分極を起こし、塗料の表面電位が帯電した塗料粉体の電位の方向に近づくので、徐々に吸着力が低下する。この場合は、塗料粉体吸着捕捉用金属網１を溶剤で洗って塗料粉体を除去するか、新しい塗料粉体吸着捕捉用金属網１に取り替えることにより、効果が回復する。
【実施例】
【００１３】
内側に保護用スポンジゴム５を貼り付けた、アルミ製の頭周部バンド２とアルミ製の頭頂部バンド３により、頭に被る形状をつくり、線径１ｍｍ、ピッチ１０ｍｍの塗料粉体吸着捕捉用金属網１をボルトとナット６を用いて頭周部バンド２に固定し図１に示す静電塗装用保護具を製作した。この静電塗装用保護具を実際の塗装作業で使用した。静電塗装用保護具を使用しない場合には、帯電した塗料粉末が顔面部全体に付着し、特に眼球に付着する塗料粉体が目にチクチクとした痛みを与えていたが、本考案の静電塗装用保護具を装着して作業すると、目のあたりに付着する塗料粉体はほとんど無く、大きく目を開いて作業することが可能になった。作業状況にもよるが、３０分ほど作業を続けると、塗料粉体吸着捕捉用金属網１へ塗料粉体が付着堆積し、新たな吸着捕捉の性能が低下してきた。塗料粉体吸着捕捉用金属網１の溶剤洗浄又は新しい塗料粉体吸着捕捉用金属網１に交換することで効果は回復した。
【図面の簡単な説明】
【００１４】
【図１】本考案の静電塗装用保護具の一例を示した斜視図である。
【符号の説明】
【００１５】
１  塗料粉末吸着捕捉用金属網
２  頭周部バンド
３  頭頂部バンド
４  金属網取り付け用Ｌ金具
５  保護用スポンジゴム
６  ボルトナット
【図１】
0003143564.tif 000003
【手続補正書】
【提出日】平成20年5月20日(2008.5.20)
【手続補正１】
【補正対象書類名】実用新案登録請求の範囲
【補正対象項目名】全文
【補正方法】変更
【補正の内容】
【実用新案登録請求の範囲】
【請求項１】
額部から後頭部までの頭周部で導電性金属網を支える頭周部バンド及び頭周部バンドを頭頂部で支える頭頂部バンドを固定し、頭周部バンドの顔面上部に位置する領域に帽子の庇状に加工した導電性金属網をボルトナットで固定した、頭に被り使用する構造の静電塗装用保護具。